【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
液体噴射装置に装着可能な液体容器であって、
液体を収容する容器本体と、
メモリ装置と、
を備え、
前記メモリ装置は、
前記容器本体に収容された前記液体の残量あるいは前記液体の消費量を特定するための第１の液体情報を格納する第１のメモリ領域と、
前記第１の液体情報を書き換える書き換え要求を受け付ける要求受付部と、
前記第１の液体情報の書き換え要求において書き換え前の前記第１の液体情報から特定される前記液体の残量より書き換え後の前記第１の液体情報から特定される前記液体の残量が大きい場合、あるいは、書き換え前の前記第１の液体情報から特定される前記液体の消費量より書き換え後の前記第１の液体情報から特定される前記液体の消費量が小さい場合には、前記書き換え要求に対する認証処理を行う認証処理部と、
を有し、
前記認証処理の結果が否定的である場合には、前記書き換え要求に応じた前記第１の液体情報の書き換えを許容しない、液体容器。
【請求項２】
請求項１に記載の液体容器であって、
前記第１の液体残量の書き換え要求において書き換え前の前記第１の液体情報から特定される前記液体の残量より書き換え後の前記第１の液体情報から特定される前記液体の残量が小さい場合、あるいは、書き換え前の前記第１の液体情報から特定される前記液体の消費量より書き換え後の前記第１の液体情報から特定される前記液体の消費量が大きい場合には、前記認証処理を行うことなく、前記第１の液体情報の書き換えを許容する、液体容器。
【請求項３】
請求項１または請求項２に記載の液体容器であって、
前記メモリ装置は、さらに、前記容器本体に収容された前記液体の残量あるいは前記液体の消費量を特定するための第２の液体情報を格納する第２のメモリ領域を有し、
前記要求受付部は、さらに、前記第２の液体残量を書き換える書き換え要求を受け付け、
前記認証処理を行うことなく、前記第２の液体情報の書き換えを許容する、液体容器。
【請求項４】
請求項１ないし請求項３のいずれかに記載の液体容器であって、
前記認証処理は、認証鍵情報を予め発行し、前記認証鍵情報または前記認証鍵情報を用いて生成された情報を受け付け、前記受け付けた前記認証鍵情報または前記認証鍵情報を用いて生成された情報に基づいて認証を行う処理である、液体容器。
【請求項５】
請求項４に記載の液体容器であって、
前記認証鍵情報または前記認証鍵情報を用いて生成された情報に基づく認証は、回数が制限されている、液体容器。
【請求項６】
請求項４に記載の液体容器であって、
前記認証鍵情報は、前記認証処理に使用できる有効期間が設定されている、液体容器。
【請求項７】
液体容器が装着される液体噴射装置であって、
請求項３に記載の前記液体容器の前記メモリ装置から前記第１の液体情報と前記第２の液体情報とを読み出す読出部と、
前記第１の液体情報と前記第２の液体情報とが一致するか否かを判定する判定部と、
前記判定結果が肯定的な場合と、前記判定結果が否定的な場合とで異なる処理を行う処理部と、
を備える、液体噴射装置。
【請求項８】
液体容器の製造方法であって、
（ａ）請求項１ないし請求項６のいずれかに記載の前記液体容器の前記容器本体に前記液体を充填する工程と、
（ｂ）前記メモリ装置に前記認証処理を行わせて前記第１の液体情報の書き換えを許容させる工程と、
（ｃ）書き込み前の前記第１の液体情報から特定される前記液体の残量より大きな前記液体の残量、あるいは、書き込み前の前記第１の液体情報から特定される前記液体の消費量より小さな前記液体の消費量が特定される前記第１の液体情報を、前記第１のメモリ領域に書き込む工程と、
を備える、製造方法。
【手続補正２】
【補正対象書類名】明細書
【補正対象項目名】０００６
【補正方法】変更
【補正の内容】
【０００６】
［適用例１］液体噴射装置に装着可能な液体容器であって、
液体を収容する容器本体と、
メモリ装置と、
を備え、
前記メモリ装置は、
前記容器本体に収容された前記液体の残量あるいは前記液体の消費量を特定するための第１の液体情報を格納する第１のメモリ領域と、
前記第１の液体情報を書き換える書き換え要求を受け付ける要求受付部と、
前記第１の液体情報の書き換え要求において書き換え前の前記第１の液体情報から特定される前記液体の残量より書き換え後の前記第１の液体情報から特定される前記液体の残量が大きい場合、あるいは、書き換え前の前記第１の液体情報から特定される前記液体の消費量より書き換え後の前記第１の液体情報から特定される前記液体の消費量が小さい場合には、前記書き換え要求に対する認証処理を行う認証処理部と、
を有し、
前記認証処理の結果が否定的である場合には、前記書き換え要求に応じた前記第１の液体情報の書き換えを許容しない、液体容器。
を備えることを要旨とする。
【手続補正３】
【補正対象書類名】明細書
【補正対象項目名】０００８
【補正方法】変更
【補正の内容】
【０００８】
［適用例２］適用例１に記載の液体容器であって、
前記第１の液体残量の書き換え要求において書き換え前の前記第１の液体情報から特定される前記液体の残量より書き換え後の前記第１の液体情報から特定される前記液体の残量が小さい場合、あるいは、書き換え前の前記第１の液体情報から特定される前記液体の消費量より書き換え後の前記第１の液体情報から特定される前記液体の消費量が大きい場合には、前記認証処理を行うことなく、前記第１の液体情報の書き換えを許容する、液体容器。こうすれば、液体噴射装置が液体の消費に伴って第１の液体情報を書き換える場合には、認証の必要がない。このため、液体噴射装置には煩雑な認証処理を行うことなく、第１の液体情報の書き換えを許容することができる。
【手続補正４】
【補正対象書類名】明細書
【補正対象項目名】０００９
【補正方法】変更
【補正の内容】
【０００９】
［適用例３］適用例１または適用例２に記載の液体容器であって、
前記メモリ装置は、さらに、前記容器本体に収容された前記液体の残量あるいは前記液体の消費量を特定するための第２の液体情報を格納する第２のメモリ領域を有し、
前記要求受付部は、さらに、前記第２の液体残量を書き換える書き換え要求を受け付け、
前記認証処理を行うことなく、前記第２の液体情報の書き換えを許容する、液体容器。
こうすれば、認証を受けて書き換えられる第１の液体情報と、認証を受けずに書き換えられる第２の液体情報とを有する。この結果、液体容器内のインクが認証を受けずに再充填されたものである場合、液体噴射装置は、第１の液体情報と第２の液体情報を比較することにより、当該インクが認証を受けずに再充填されたものであることを認識することができる。
【手続補正５】
【補正対象書類名】明細書
【補正対象項目名】００１４
【補正方法】変更
【補正の内容】
【００１４】
［適用例８］
液体容器の製造方法であって、
（ａ）適用例１ないし適用例６のいずれかに記載の前記液体容器の前記容器本体に前記液体を充填する工程と、
（ｂ）前記メモリ装置に前記認証処理を行わせて前記第１の液体情報の書き換えを許容させる工程と、
（ｃ）書き込み前の前記第１の液体情報から特定される前記液体の残量より大きな前記液体の残量、あるいは、書き込み前の前記第１の液体情報から特定される前記液体の消費量より小さな前記液体の消費量が特定される前記第１の液体情報を、前記第１のメモリ領域に書き込む工程と、
を備える、製造方法。
こうすれば、認証を受けて行われたインクの再充填を行い、液体容器が使用可能な液体容器を製造することができる。